(57)【要約】【課題】配線工事の簡略化と費用の低減を図る。【解決手段】本実施形態の照明システムでは、コントローラ１の点灯装置10から供給される点灯電力で全ての照明器具２の光源20が点灯する。したがって、従来例のように個々の照明器具２に安定器(点灯装置)を備える必要が無く、また、コントローラ１と複数台の照明器具２が１系統の電力線３のみで接続可能である。故に、複数台の照明器具にそれぞれ点灯装置が搭載されるとともに電力線と信号線の２種類の電線が配線されていた従来例と比較して、本実施形態の照明システムは、配線工事の簡略化と費用の低減を図ることができる。【選択図】        図１
2012123985.tif 000002
【特許請求の範囲】
【請求項１】
コントローラと複数台の照明器具を有する照明システムであって、前記照明器具は、光源と、当該光源を保持する器具本体とを備え、前記コントローラは、前記光源を点灯する点灯装置と、当該点灯装置を制御する制御部とを備え、前記複数台の照明器具の光源は、前記点灯装置から共通の電力線を介して供給される点灯電力によって点灯することを特徴とする照明システム。
【請求項２】
前記点灯装置から供給される点灯電力を増幅する電力増幅器が前記コントローラと前記照明器具との間の前記電力線に接続されることを特徴とする請求項１記載の照明システム。
【請求項３】
前記コントローラは、前記点灯装置から供給される点灯電力で点灯する光源と、当該光源と前記点灯装置と前記制御部を保持する本体とを備えることを特徴とする請求項１又は２記載の照明システム。
【請求項４】
前記コントローラの制御部を制御する上位コントローラを有することを特徴とする請求項１〜３の何れか１項に記載の照明システム。
【発明の詳細な説明】
【技術分野】
【０００１】
本発明は、複数台の照明器具で構成される照明システムに関する。
【背景技術】
【０００２】
従来、複数台の照明器具で構成され、各照明器具が遠隔制御によって点滅や調光される照明システムが種種提供されている。
【０００３】
例えば、特許文献１に記載されている従来例では、蛍光ランプなどの光源と安定器(点灯装置)と器具本体を備える複数台の照明器具が信号線で接続されている。そして、信号線を介して伝送される制御信号により、各照明器具の点灯装置が制御されて光源が点滅あるいは調光されるようになっている。ここで、各照明器具には信号線とは別に点灯装置への給電線も接続されている。
【先行技術文献】
【特許文献】
【０００４】
【特許文献１】特開２００９−２８９４７６号公報
【発明の概要】
【発明が解決しようとする課題】
【０００５】
上述したように、従来の照明システムでは制御用の信号線と給電用の給電線が各照明器具にそれぞれ配線されなければならないため、設置時の配線工事が複雑になり、且つ電線の使用量も増えて設置に要する費用が高くなるという問題があった。また、複数台の照明器具にそれぞれ点灯装置が搭載されているためにシステム全体の費用も高くなってしまう。
【０００６】
本発明は、上記課題に鑑みて為されたものであり、配線工事の簡略化と費用の低減を図ることを目的とする。
【課題を解決するための手段】
【０００７】
本発明の照明システムは、コントローラと複数台の照明器具を有する照明システムであって、前記照明器具は、光源と、当該光源を保持する器具本体とを備え、前記コントローラは、前記光源を点灯する点灯装置と、当該点灯装置を制御する制御部とを備え、前記複数台の照明器具の光源は、前記点灯装置から共通の電力線を介して供給される点灯電力によって点灯することを特徴とする。
【０００８】
この照明システムにおいて、前記点灯装置から供給される点灯電力を増幅する電力増幅器が前記コントローラと前記照明器具との間の前記電力線に接続されることが好ましい。
【０００９】
この照明システムにおいて、前記コントローラは、前記点灯装置から供給される点灯電力で点灯する光源と、当該光源と前記点灯装置と前記制御部を保持する本体とを備えることが好ましい。
【００１０】
この照明システムにおいて、前記コントローラの制御部を制御する上位コントローラを有することが好ましい。
【発明の効果】
【００１１】
本発明の照明システムは、配線工事の簡略化と費用の低減を図ることができるという効果がある。
【図面の簡単な説明】
【００１２】
【図１】本発明の実施形態１を示すシステム構成図である。
【図２】同上の別のシステム構成図である。
【図３】本発明の実施形態２を示すシステム構成図である。
【図４】本発明の実施形態３を示すシステム構成図である。
【発明を実施するための形態】
【００１３】
(実施形態１)
本実施形態の照明システムは、図１に示すように１台のコントローラ１と複数台(図示は３台のみ)の照明器具２を有している。照明器具２は、蛍光ランプや発光ダイオードからなる光源20と、光源20を保持する器具本体(図示せず)とを備え、例えば、器具本体が天井に取り付けられることで照明空間(事務所など)に設置される。
【００１４】
コントローラ１は、光源20を点灯する点灯装置10と、点灯装置10を制御する制御部11と、制御部11に対してトリガを与えるトリガ入力部12とを備える。点灯装置10は、外部電源(商用交流電源)100から給電線101を介して給電される交流電力を光源20の点灯電力(蛍光ランプでは高周波交流電力、発光ダイオードでは直流電力)に変換し、変換した点灯電力を電力線３を介して照明器具２に供給する。ここで、各照明器具２の光源20が電力線３に対して互いに並列接続されている。
【００１５】
トリガ入力部12は、照明空間における人の存否を検出する人感センサや照明空間の明るさを検出する明るさセンサ、あるいは可変抵抗器等を利用して調光レベルを設定する調光器などで構成される。明るさセンサで構成されるトリガ入力部12は、明るさセンサで検出される明るさが所定のしきい値よりも低く(暗く)なったとき及びしきい値よりも明るくあったときにトリガ信号を制御部11に出力する。また、人感センサで構成されるトリガ入力部12は、人感センサで人の存在が検出されたときにトリガ信号を制御部11に出力する。さらに、調光器で構成されるトリガ入力部12は、設定された調光レベルを示すトリガ信号(調光信号)を制御部11に出力する。
【００１６】
制御部11は、例えば、マイクロコントローラと当該マイクロコントローラで実行されるプログラム(ソフトウェア)とで構成され、トリガ入力部12から入力されるトリガ信号に応じて、点灯装置10のオン・オフや点灯電力の増減(調光)などの制御を行う。例えば、明るさセンサからトリガ信号が入力されると、制御部11は点灯装置10の状態を反転させる。つまり、明るさがしきい値よりも暗くなると制御部11が点灯装置10をオンして全照明器具２の光源20を点灯し、反対に明るさがしきい値よりも明るくなると制御部11が点灯装置10をオフして全照明器具２の光源20を消灯するのである。
【００１７】
而して、本実施形態の照明システムでは、コントローラ１の点灯装置10から供給される点灯電力で全ての照明器具２の光源20が点灯するので、従来例のように個々の照明器具２に安定器(点灯装置)を備える必要が無く、また、コントローラ１と複数台の照明器具２が１系統の電力線３のみで接続可能である。故に、複数台の照明器具にそれぞれ点灯装置が搭載されるとともに電力線と信号線の２種類の電線が配線されていた従来例と比較して、本実施形態の照明システムは、配線工事の簡略化と費用の低減を図ることができる。
【００１８】
ここで、図２に示すようにコントローラ１に光源13を設けることでコントローラ１自体を照明器具２として構成しても構わない。なお、コントローラ１の光源13もコントローラ１の点灯装置10から点灯電力が供給されて点灯することは言うまでもない。
【００１９】
(実施形態２)
本実施形態の照明システムは、図３に示すようにコントローラ１の点灯装置10から供給される点灯電力を増幅する電力増幅器４がコントローラ１と照明器具２との間の電力線３に接続されて構成されている。但し、本実施形態におけるコントローラ１や照明器具２の構成は実施形態１と共通であるから、共通の構成要素には同一の符号を付して図示並びに説明を省略する。
【００２０】
電力増幅器４は外部電源100から給電線101を介して給電されて動作し、電力線３を介して供給される点灯電力を増幅して照明器具２に出力する。このような電力増幅器４は、例えば、従来周知であるプッシュプル型の電力増幅回路などを用いて実現される。
【００２１】
このように本実施形態の照明システムは、コントローラ１の点灯装置10から供給される点灯電力が電力増幅器４で増幅されて照明器具２に供給されるので、１台のコントローラ１に接続可能な照明器具２の台数を増やすことができる。なお、図３ではコントローラ１に対して電力線３を介して３台の電力増幅器４が並列接続されているが、電力増幅器４が１台あるいは４台以上接続されていても構わない。
【００２２】
(実施形態３)
本実施形態の照明システムは、図４に示すようにコントローラ１の制御部11を制御する上位コントローラ５を有している。但し、本実施形態におけるコントローラ１や照明器具２の構成は実施形態１と共通であるから、共通の構成要素には同一の符号を付して図示並びに説明を省略する。
【００２３】
本実施形態の照明システムでは、複数台(図示例では３台)のコントローラ１が信号線６を介して上位コントローラ５と接続されており、上位コントローラ５から信号線６を介して伝送される制御信号により、各コントローラ１の制御部11が点灯装置10を制御する。
【００２４】
上位コントローラ５は、明るさセンサや人感センサあるいは調光器などを備え、これらのセンサや調光器から出力されるトリガ信号に応じて個々のコントローラ１に対する制御信号を作成し、当該制御信号を信号線６を介して伝送する。なお、各コントローラ１には固有の識別符号が割り当てられており、上位コントローラ５から伝送される制御信号の宛先アドレスに設定される識別符号と一致するコントローラ１のみが当該制御信号を受信して点灯装置10を制御する。
【００２５】
而して、実施形態１，２の照明システムでは複数台の照明器具２が全て同じ状態にしか制御できないのに対して、本実施形態の照明システムでは、個々のコントローラ１に接続されている複数台(図示例では３台ずつ)の照明器具２が互いに異なる状態(点灯、消灯、調光レベル)に制御可能である。しかも、各コントローラ１と複数台の照明器具２との間には電力線３のみが配線されるため、従来例と比較して省配線化を図ることができる。なお、上位コントローラ５に接続されるコントローラ１の台数は３台に限定されるものではなく、また、各コントローラ１に接続される照明器具２の台数も３台に限定されない。
【符号の説明】
【００２６】
１  コントローラ
２  照明器具
３  電力線
10  点灯装置
11  制御部
20  光源
【図１】
2012123985.tif 000003
【図２】
2012123985.tif 000004
【図３】
2012123985.tif 000005
【図４】
2012123985.tif 000006